(57)【特許請求の範囲】
【請求項１】
着用者の背側に配される背側部と着用者の腹側に配される腹側部とが予め環状に形成されているか又は環状に連結可能になされている使い捨ておむつであって、
着用者の股間部に配される股下部が、背側部及び腹側部に対して着脱自在に連結可能になされており、該股下部は、吸収体、一対のレッグギャザー、及び一対のレッグギャザーより幅方向内側の位置に形成された一対のサイド立体ギャザーを有しており、
前記股下部の前後方向の少なくとも一端側では、該股下部が幅方向に折り畳まれたタック部が形成されてサイド立体ギャザーどうしが近接しており、
股下部の前後方向の前記タック部を有する側の端部に、股下部の横方向に伸縮する立体ギャザーを有しており、該立体ギャザーは、その固定端側は前記タック部と共に折り畳まれており、その自由端側は、該タック部に折り込まれていない、使い捨ておむつ。
【請求項２】
前記吸収体の前後方向の端部に切り欠き部が形成されており、前記タック部が、前記股下部の該切り欠き部を有する部分を折り畳んで形成されている請求項１記載の使い捨ておむつ。
【発明の詳細な説明】
【技術分野】
【０００１】
本発明は、使い捨ておむつに関する。
【背景技術】
【０００２】
使い捨ておむつの着用中に尿や大便が排泄されると、それらは、着用者の股間部に配されている部分から着用者の背側や腹側に位置する部分へと拡がるため、排泄量や排泄からの経過時間等によっては、使い捨ておむつを取り外したときに、着用者の腹側や背側に位置する部分には、排泄物によって汚されていない部分が残っていることも多い。
そのような場合、排泄物によって汚れた部分のみを分離して交換することができれば、無駄がなく、ゴミの減量にもなる。
特許文献１には、着用者の胴回りに配置される環状の胴回り部と、着用者の背側から股下を経て腹側に延び胴回り部に接続される股間部とを備え、股間部が胴回り部に脱着自在に取り付けられるパンツ型の着用物品が記載されている。
また、特許文献２には、おむつカバーの内面にパッドを載せて着用者に装着することが記載されている。
【０００３】
【特許文献１】特開２００８−３６０１９号公報
【特許文献２】特開２００５−１６８７２５号公報
【発明の概要】
【発明が解決しようとする課題】
【０００４】
しかし、特許文献１のパンツ型の着用物品においては、股間部から環状の胴回り部に尿や軟便が移動し易く、保護者や介護者が適切な交換時期と判断して股間部を交換したとしても、その時点では、既に胴回り部が排泄物で汚れている場合が多く生じる。そのため、股間部と共に胴回り部も交換するか、汚れた胴回り部を我慢させて継続使用させる必要が生じる。胴回り部の頻繁な交換は資源の有効活用の点で好ましくなく、汚れた胴回り部の継続使用は皮膚トラブルや衛生面の点で好ましくない。
特許文献２の技術においては、パッドを交換する一方、おむつカバーは繰り返し使用することができるが、パッドを交換するためには、おむつカバーを着用者から取り外さなければならない。
【０００５】
本発明は、背側部及び腹側部を着用者から取り外さずに股下部のみを交換することができ、また、背側部及び腹側部の交換頻度を大幅に低減可能な使い捨ておむつに関する。
【課題を解決するための手段】
【０００６】
本発明は、着用者の背側に配される背側部と着用者の腹側に配される腹側部とが予め環状に形成されているか又は環状に連結可能になされている使い捨ておむつであって、着用者の股間部に配される股下部が、背側部及び腹側部に対して着脱自在に連結可能になされており、該股下部は、吸収体、一対のレッグギャザー、及び一対のレッグギャザーより幅方向内側の位置に形成された一対のサイド立体ギャザーを有しており、前記股下部の前後方向の少なくとも一端側では、該股下部が幅方向に折り畳まれたタック部が形成されてサイド立体ギャザーどうしが近接している、使い捨ておむつを提供するものである。
【発明の効果】
【０００７】
本発明の使い捨ておむつによれば、背側部及び腹側部を着用者から取り外さずに股下部のみを交換することができ、また、背側部及び腹側部の交換頻度を大幅に低減可能である。
【図面の簡単な説明】
【０００８】
【図１】図１は、本発明の第１実施形態の使い捨ておむつを示す斜視図であり、股下部を、背側部及び腹側部に連結した状態を示してある。
【図２】図２は、第１実施形態の使い捨ておむつを示す斜視図であり、股下部を、背側部及び腹側部から分離した状態を示してある。
【図３】図３は、図２のＩＩＩ−ＩＩＩ線に沿う断面図である。
【図４】図４は、図２のＩＶ−ＩＶ線に沿う断面図である。
【図５】図５は、第１実施形態おける股下部製造中間体を示す平面図である。
【図６】図６は、股下部のタック部を有する部分の横方向に沿う断面（図５のＶＩ−ＶＩ線に沿う断面）を示す図である。
【図７】図７は、本発明の第２実施形態の使い捨ておむつにおける股下部製造中間体を示す平面図である。
【図８】図８は、本発明の第４実施形態の使い捨ておむつにおける股下部製造中間体を示す平面図である。
【図９】図９は、本発明の更に他の実施形態を示す側面図である。
【発明を実施するための形態】
【０００９】
以下本発明を、その好ましい実施形態に基づき説明する。
図１は、本発明の第１実施形態の使い捨ておむつを示す斜視図であり、股下部を、背側部及び腹側部に連結した状態を示してある。図２は、第１実施形態の使い捨ておむつを示す図であり、股下部を、背側部及び腹側部から分離した状態を示す斜視図である。
【００１０】
第１実施形態の使い捨ておむつ１（以下、単におむつ１ともいう）は、図１に示すように、着用時に、着用者の背側に配される背側部２、着用者の腹側に配される腹側部３、及び着用者の股間部に配される股下部４を有している。図１に示すように背側部２、腹側部３及び股下部４を連結した状態において、背側部２から股下部４を経て腹側部３に至る方向を前後方向（図中Ｘ方向、以下、単にＸ方向ともいう）、該前後方向に直交する方向を幅方向（図中Ｙ方向、以下、単にＹ方向ともいう）とする。
【００１１】
背側部２のＹ方向の両端部には一対のファスニングテープ２１，２１が設けられており、腹側部３の外面（非肌当接面）には一対のファスニングテープ２１，２１を止着可能なランディングテープ３１が設けられている。背側部２及び腹側部３は、一対のファスニングテープ２１をランディングテープ３１に止着することにより、環状に連結可能である。この連結は、通常、展開型の使い捨ておむつと同様におむつ１を装着する際に行う。
【００１２】
背側部２は、図３に示すように、液透過性の表面シート２２、液不透過性又は撥水性の裏面シート２３、及び両シート間に挟持された液保持性の吸収体２４を備えている。腹側部３も、背側部２と同様に、液透過性の表面シート３２、液不透過性又は撥水性の裏面シート（図示せず）、及び両シート間に挟持された液保持性の吸収体３４を備えている。また、背側部２及び腹側部３における、着用者のウエスト部に配されるウエスト側端部には、Ｙ方向に伸縮する弾性部材２５，３５が配されている。
【００１３】
股下部４は、図２に示すように、その前後方向（Ｘ方向）の背側部２側の一端部に、該股下部４が幅方向に折り畳まれたタック部４Ｒを有しており、股下部４の前後方向（Ｘ方向）の腹側部３側の一端部に、該股下部４が幅方向に折り畳まれたタック部４Ｒを有している。
【００１４】
股下部４は、前後方向（Ｘ方向）の両端部に、該股下部４を、背側部２及び腹側部３に対して着脱自在に連結するための止着手段４１を備えている。
止着手段４１としては、ホットメルト粘着剤等の塗工等により形成した粘着部や、機械的面ファスナーのオス部材等を好ましく用いることができる。止着手段４１が粘着部である場合、背側部２及び腹側部３における、止着手段４１を止着する被止着領域（図示せず）には、そこが被止着領域であることが判るようにしておくことが好ましく、例えば、色分け、囲み、文字等により、被止着領域であることを示しておくことが好ましい。他方、止着手段４１が機械的面ファスナーのオス部材である場合、背側部２及び腹側部３における、止着手段４１を止着する被止着領域（図示せず）には、オス部材の突起が係合可能なループ等を有する機械的面ファスナーのメス部材を配置しておくことが好ましい。また、背側部２又は腹側部３の外表面を係合性に富む不織布で構成し、該不織布に、機械的面ファスナーのオス部材を係合させることもできる。この場合も、止着手段４１を止着する被止着領域（図示せず）が判るように、機械的面ファスナーのオス部材を止着するべき特定の領域を、色分け、囲み、文字等により示しておくことが好ましい。
【００１５】
股下部４は、図３及び図４に示すように、液透過性の表面シート４２、液不透過性又は撥水性の裏面シート４３、及び両シート間に挟持された液保持性の吸収体４４を備えている。おむつ１における裏面シート４３は、透湿性又は非透湿性の樹脂フィルム４３ａと不織布４３ｂとが貼り合わされた積層シートであるが、樹脂フィルム４３ａのみからなる裏面シート４３であっても良いことは勿論である。
【００１６】
また、股下部４は、図２及び図４に示すように、Ｙ方向の両端近傍に一対のレッグギャザー４５，４５を有している。レッグギャザー４５，４５は、それぞれ、裏面シート４３と、サイド立体ギャザー５１，５２用の立体ギャザー形成用シート５５との間に、弾性部材４６を伸長状態で固定することによって形成されている。レッグギャザー４５及び弾性部材４６は、それぞれ、Ｘ方向に沿って延びている。
【００１７】
また、股下部４は、図２及び図４に示すように、Ｙ方向における、一対のレッグギャザー４５，４５それぞれより内側の位置に、一対のサイド立体ギャザー５１，５２を有している。
【００１８】
サイド立体ギャザー５２は、吸収体４４の側縁よりやや外方の位置に、Ｘ方向に沿って延びる固定端５６を有している。サイド立体ギャザー用の立体ギャザー形成用シート５５は、固定端５６よりＹ方向の外方に位置する部分及び股下部４のＹ方向の両端部に位置する部分が、その下に配された部材（例えば、表面シート４２、裏面シート４３等）に公知の接合手段によって接合されている。そして、立体ギャザー形成用シート５５における、固定端５６よりＹ方向の内側（股下部４の前後方向中央線Ｐ側）であって、Ｘ方向の両端部に存する固定部間に位置する部分が、シート５５に伸長状態で固定された弾性部材５７の収縮によって表面シート等から離間して起立し、サイド立体ギャザー５２を形成する。サイド立体ギャザー５１は、股下部４の前後方向中央線Ｐに対して左右対称である以外は、サイド立体ギャザー５２と同様の構成を有する。股下部４の前後方向中央線Ｐは、股下部４の前後方向（Ｘ方向）に延びる中央線である。
【００１９】
股下部４は、その前後方向（Ｘ方向）の背側部２側の一端部に、該股下部４が幅方向に折り畳まれたタック部４Ｒを有している。そして、それによって、股下部４の背側部２側の一端部における、サイド立体ギャザー５１，５２どうしが近接している。また、股下部４は、その前後方向（Ｘ方向）の腹側部３側の一端部にも、該股下部４が幅方向に折り畳まれたタック部４Ｆを有している。そして、それによって、股下部４の腹側部３側の一端部における、サイド立体ギャザー５１，５２どうしが近接している。
【００２０】
より具体的に説明すると、タック部４Ｒ，４Ｆを形成する前の股下部４Ａ（以下、股下部製造中間体という）は、図５に示すように、各部の弾性部材を伸長させて平面状とした状態（以下「伸長状態」ともいう）において矩形状をなしている。
股下部製造中間体４Ａにおいては、股下部４の前後方向の全域に亘って、サイド立体ギャザー５１，５２間の距離は、一定である。
【００２１】
本実施形態のおむつ１における股下部４は、その股下部製造中間体４Ａの背側部２側の端部の近傍、及び股下部製造中間体４Ａの腹側部３側の端部の近傍に、以下のようにしてタック部４Ｒ，４Ｆを形成してなる。
背側部２側のタック部４Ｒは、吸収体４の前後方向（Ｘ方向）の端縁から延出した、表面シート２２及び裏面シート２３からなる積層体１０における、Ｖ字状をなす２本の直線４０ｃ，４０ｄ間の三角形状の領域４０Ａを、それらの中央線４０ｂが谷折りとなるように２つ折りし、次いで、その２つ折りされた領域４０Ａを、直線４０ｃ，４０ｄの位置で一体的に折り曲げ、積層体１０の他の部分の外面１０ａに固定することによって形成されている。なお、領域４０Ａを２つ折りする前には、直線４０ｃと中央線４０ｂとの間の領域及び／又は直線４０ｄと中央線４０ｂとの間の領域に接着剤７１を塗工し、また、２つ折りされた領域４０Ａを直線４０ｃ，４０ｄの位置で折り曲げる前には、それによって相対向することになる２面の何れか又は双方に接着剤７２を塗工しておく。
【００２２】
腹側部３側のタック部４Ｆは、股下部４の幅方向中央線Ｑに対して前後対称である以外は、背側部２側のタック部４Ｒと同様の構成を有している。腹側部３側のタック部４Ｆも、背側部２側のタック部４Ｒと同様にして、領域４０Ｂを２つ折りした後、その２つ折りされた領域４０Ｂを、直線４０ｃ，４０ｄの位置で一体的に折り曲げ、積層体１０の他の部分の外面１０ａに固定することによって形成されている。
【００２３】
そして、本実施形態のおむつ１における股下部４は、前後方向の背側部２側の端部に上記構成のタック部４Ｒを有するため、サイド立体ギャザー５１，５２どうしが近接している。
ここで、近接しているとは、サイド立体ギャザー５１，５２の自由端６１側の縁部間の距離が、少なくとも股下部４の前後方向中央部におけるサイド立体ギャザー５１，５２の自由端６１側の縁部間の幅Ｗ１（図５参照）よりも小さいことを意味する。本実施形態のおむつ１においては、股下部４の前後方向の両端部において、サイド立体ギャザー５１，５２の自由端６１側のシートどうしが重なっているか、自由端６１側の縁部どうしを突き合わせた状態となっている。
股下部４の前後方向におけるタック部を有する側の端部における、サイド立体ギャザーの５１，５２の自由端６１側の縁部間の距離Ｗは、図２のようにタック部を形成した状態では、１０ｍｍ以下であることが好ましく、突き合せた状態（Ｗ＝０ｍｍ）又は重ね合わせた状態（Ｗ＜０ｍｍ）であることがより好ましく、突き合せた状態が更に好ましい。
【００２４】
第１実施形態のおむつ１は、図１に示すように、股下部４を、止着手段４１を介して背側部２及び腹側部３に連結した状態とすることにより、通常の展開型の使い捨ておむつと同様にして、着用者に装着することができる。
そして、着用中に排泄された尿や大便の処理を行う際には、背側部及び腹側部を着用者から取り外すことなく、股下部のみを取り外し、該股下部のみを、新たな股下部に交換することができる。
【００２５】
股下部に排泄された軟便等は、股下部の前後方向や幅方向に拡がるが、第１実施形態のおむつ１においては、股下部４の前後方向の背側部２側の一端側にタック部４Ｒが形成され、それによって、左右のサイド立体ギャザー５１，５２どうしが近接している。そのため、それらのサイド立体ギャザー５１，５２が立体障壁となって、それらが、背側部２に拡がって背側部２を汚すことが効果的に防止される。また、サイド立体ギャザー５１，５２によって、タック部４Ｒ近傍の吸収体４４が、着用者の肌側に向かって凹状をなす深さの深い窪みを形成し、該窪みの壁面に存する吸収体４４にも液が効果的に吸収される。また、吸収体４４が窪みを形成することによって、サイド立体ギャザー５１，５２と窪みの表面との間の空間も大きくなる。
そのため、軟便等が、背側部２に拡がって背側部２を汚すことが効果的に防止され、股下部４と共に背側部２も交換しなくてはならないといった事態が生じる頻度を低減することができ、資源の有効活用を図ることができる。また、背側部２が汚れにくいので、汚れた背側部２を我慢させて継続使用させる必要もない。
また、レッグギャザー４５，４５が着用者の脚廻りに良好にフィットするため、脚廻りからの漏れを防止することができる。
【００２６】
また、第１実施形態のおむつ１においては、股下部４の前後方向の腹側部３側の他端側にもタック部４Ｆが形成され、それによって、該他端側においても、左右のサイド立体ギャザー５１，５２どうしが近接している。
そのため、股下部に排泄された尿等が、股下部の前後方向や幅方向に拡がっても、それらのサイド立体ギャザー５１，５２が立体障壁となって、それらが、腹側部３に拡がって腹側部３を汚すことが効果的に防止される。また、サイド立体ギャザー５１，５２によって、タック部４Ｒ近傍の吸収体４４が、着用者の肌側に向かって凹状をなす深さの深い窪みを形成し、該窪みの壁面に存する吸収体４４にも液が効果的に吸収される。また、吸収体４４が窪みを形成することによって、サイド立体ギャザー５１，５２と窪みの表面との間の空間も大きくなる。
そのため、尿等が、腹側部３に拡がって腹側部３を汚すことが効果的に防止され、股下部４と共に腹側部３も交換しなくてはならないといった事態が生じる頻度を低減することができ、資源の有効活用を図ることができる。また、腹側部３が汚れにくいので、汚れた腹側部３を我慢させて継続使用させる必要もない。
【００２７】
股下部４は、前後方向（Ｘ方向）の全長が、股下部４を、背側部２及び腹側部３と連結した状態のおむつの前後方向の全長に対して、５５〜８０％であることが好ましく、６０〜７０％であることがより好ましい。
【００２８】
次に、本発明の第２及び第３実施形態の使い捨ておむつについて説明する。
第２及び第３実施形態については、第１実施形態と異なる点について説明し、同様の点については説明を省略する。第１実施形態と同様の構成要素には同一の符号を付す。特に説明しない点は、第１実施形態と同様の構成とすることができる。
【００２９】
図７には、第２実施形態における股下部の、タック部４Ｒ，４Ｆを形成する前の状態が示されている。即ち、第２実施形態に用いた股下部製造中間体４Ａ’は、図７に示すように、前後方向（Ｘ方向）の両端部にＶ字状の切り欠き部４４ａ，４４ｂを有しており、このような股下部製造中間体４Ａ’における厚み方向の内部に切り欠き部４４ａ，４４ｂを有する部分を、第１実施形態と同様に折り畳むこと、つまり、直線４０ｃ，４０ｄ間を４０ｂで２つ折りした後、その全体を倒しておむつ外面側に固定することにより、第２実施形態のおむつにおける、タック部４Ｆ，４Ｒを有する股下部が形成されている。
第２実施形態のおむつによっても、このようなタック部を形成することにより、股下部の腹側部側の端部及び／又は背側部側の端部における、一対のサイド立体ギャザーどうし間の幅が狭められているため、第１実施形態と同様の作用効果を奏するおむつが得られる。それに加えて、タック部４Ｒ近傍の吸収体４４によって形成される窪みの壁面にも吸収体４４が存在することになるため、背側部２及び／又は腹側部３への軟便や尿の移行を一層効果的に防止することができる。
【００３０】
図８には、第３実施形態における股下部の、タック部４Ｒ，４Ｆを形成する前の状態が示されている。即ち、第３実施形態に用いた股下部製造中間体４Ａ”は、図８に示すように、前後方向（Ｘ方向）の背側部２側の端部及び腹側部３側の端部それぞれに、股下部４の横方向（Ｙ方向）に伸縮する背側又は腹側立体ギャザー５３，５４を有している。
背側又は腹側立体ギャザー用の立体ギャザー形成用シート５９は、固定端５８よりＸ方向の外方に位置する部分及び股下部４のＹ方向の両端部に位置する部分が、その下に配された部材（例えば、表面シート４２、立体ギャザー形成用シート５５等）に公知の接合手段によって接合されている。そして、立体ギャザー形成用シート５９における、固定端５８よりＸ方向の内側（股下部４の幅方向中央線Ｑ側）であって、Ｙ方向の両端部に存する固定部間に位置する部分であり、且つタック部４Ｒ，４Ｆを形成する際に直線４０ｃ，４０ｄ間の領域と共に、折り畳まれない部分が、シート５９に伸長状態で固定された弾性部材６０の収縮によって表面シート等から離間して起立し、背側又は腹側立体ギャザー５３，５４を形成する。
図８に示すように、タック部を形成するために折り畳む三角形状の領域（直線４０ｃ，４０ｄ間の領域）の幅方向中央線Ｑ側の頂点は、弾性部材６０の配置位置に達しておらず、従って、背側又は腹側立体ギャザー５３，５４の自由端６２側は、タック部を形成する際に、該タック部に折り込まれない。
【００３１】
背側及び／又は腹側立体ギャザー５３，５４の幅方向の一部がタック部に折り込まれても良いが、固定端５８側がタック部と共に折り畳まれ、自由端６２側がタック部に折り込まれない背側及び／又は腹側立体ギャザー５３，５４を設けることで、背側部２及び／又は腹側部３への液の移行を防止することができる。
【００３２】
上述した各実施形態のおむつにおける各部の形成材料について説明すると、各おむつにおける表面シート４２、裏面シート４３、吸収体４４、立体ギャザー形成用シート５５，５９、弾性部材４６，５７，６０等としては、従来の使い捨ておむつにおいて、それぞれの材料として従来用いられている各種の材料等を、特に制限なく用いることができる。
例えば、表面シート４２としては、各種製法による不織布や、開孔フィルム、これらの積層体等を用いることができる。裏面シート４３としては、透湿性又は非透湿性の樹脂フィルムやこれに不織布を一体化させた積層体等を用いることができる。吸収体４４としては、パルプ繊維等からなる繊維集合体（不織布でも良い）又はこれに高吸水性ポリマーを保持させたものを、ティッシュペーパーや透水性の不織布で被覆してなるもの等を用いることができる。立体ギャザー形成用シート５５，５９としては、撥水性の不織布（サーマルボンド不織布、スパンボンド不織布、スパンボンドーメルトブローンースパンボンド不織布、スパンボンドーメルトブローンーメルトブローンースパンボンド不織布等）や、樹脂フィルムと不織布との積層体等を用いることができる。弾性部材４６，５７，６０の素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、弾性部材４６，５７，６０の形態としては、断面が矩形、正方形、円形、多角形状等の糸状（糸ゴム等）若しくは紐状（平ゴム等）のもの、又はマルチフィラメントタイプの糸状のもの等を用いることができる。
【００３３】
以上、本発明の使い捨ておむつの幾つかの実施形態を示して本発明を説明したが、本発明は、前述した実施形態に制限されるものではなく、本発明の趣旨を逸脱しない範囲において種々変形可能である。
【００３４】
例えば、本発明における使い捨ておむつは、図９に示すように、背側部２と腹側部３とが予め環状に形成されているものであっても良い。図９に示す使い捨ておむつにおける背側部２と腹側部３は、通常のパンツ型の使い捨ておむつにおける着用者の胴回りに配される部分とほぼ同様の構成を有している。環状に連結可能な背側部及び腹側部は、平面視形状が長方形であっても良い。
【００３５】
また、上述した実施形態のおむつにおいては、股下部４の前後方向の背側部２側及び腹側部３側の両端部にタック部４Ｒ，４Ｆが形成されていたが、背側部２側のタック部４Ｒのみが設けられていても良い。また、その場合、股下部４における腹側部３側には、腹側立体ギャザーを設けることもできる。その腹側立体ギャザーは、タック部に折り込まれる部分を有するものあっても有しないものであっても良い。
止着手段４１を、股下部製造中間体４Ａ’の幅方向に連続して固定し、タック部を形成する際に、シート材と共に止着手段の一部を折り畳んでタック部を形成することもできる
【００３６】
また、タック部４Ｆ，４Ｒは、接着剤７１及び７２によって折り畳まれた状態が維持されるものであっても良いし、接着剤７１のみ、あるいは接着剤７２のみによって折り畳まれた状態が維持されるものであっても良い。また、タック部４Ｆ，４Ｒは、折り畳まれた状態を接着剤以外の手段によって維持されているものであっても良い。例えば、シート間をヒートシール、超音波シール、高周波シール等で接合したものであっても良い。
また、接着剤７１及び／又は接着剤７２は、股下部４の前後方向の端縁に達していなくても良い。また、タック部４Ｆ，４Ｒも、股下部４の前後方向の端縁からやや離間させて形成することもできる。
また、吸収体４に形成する切り欠き部４４ａ，４４ｂは、Ｖ字状のものに代えてＵ字状のもの等であっても良い。また、Ｖ字状をなす直線４０ｂ，４０ｄに代えてＵ字状をなす曲線の内側を２つ折り等しても良い。また、所定の領域を２つ折りするのに代えて３つ折りしてタック部を形成することもできる。
【００３７】
また、第１実施形態のおむつ１においては、股下部４側に、粘着部や機械的面ファスナーのオス部材等の止着手段４１を設けて、該股下部４を、背側部２及び腹側部３に対して着脱自在に取り付けるようにしたが、これに代えて、背側部２及び／又は腹側部３側に、粘着部や機械的面ファスナーのオス部材等の止着手段を設け、股下部４に、該止着手段を止着する被止着領域を設けることもできる。
また、第１実施形態のおむつ１においては、図３に示すように、股下部４の肌当接面側に背側部２及び腹側部３を重ねて、これらを連結するようにしたが、これに代えて、股下部４の非肌当接面側に背側部２及び／又は腹側部３を重ねて、これらを連結するようにしても良い。他の実施形態についても同様である。
【００３８】
また、第１〜第３実施形態における股下部においては、レッグギャザー４５及び一対のサイド立体ギャザー５１，５２に、それぞれ２本の弾性部材が配されていたが、それぞれ１本又は３本以上配されていても良い。背側立体ギャザー５３及び腹側立体ギャザー５４に配する弾性部材も、それぞれ、１本、２本又は３本以上とすることもできる。
また、背側立体ギャザー５３及び／又は腹側立体ギャザー５４を構成する立体ギャザー形成用シートは、２枚のシートを２つ折りして２層構造とした積層シートであっても良いし、サイド立体ギャザー用の立体ギャザー形成用シートのように、弾性部材の配置部位を除いて１枚のシートからなるもの等であっても良い。また、サイド立体ギャザー用の立体ギャザー形成用シートとして、２枚のシートを２つ折りして２層構造とした積層シートや３層構造以上の積層シート等を用いることもできる。
【符号の説明】
【００３９】
１  使い捨ておむつ
２  背側部
２１  ファスニングテープ
３  腹側部
３１  ランディングテープ
４  股下部
４Ａ’，４Ａ”  股下部製造中間体
４Ｒ  背側部側のタック部
４Ｆ  腹側部側のタック部
４１  止着手段
４２  表面シート
４３  裏面シート
４４  吸収体
４５  レッグギャザー
４６  レッグギャザー形成用の弾性部材
５１，５２  サイド立体ギャザー
５６  サイド立体ギャザーの固定端
６１  サイド立体ギャザーの自由端
５５  サイド立体ギャザー用の立体ギャザー形成用シート
５３  背側立体ギャザー
５４  腹側立体ギャザー
５８  背側又は腹側立体ギャザーの固定端
６２  背側又は腹側立体ギャザーの自由端
５９  背側又は腹側立体ギャザー用の立体ギャザー形成用シート
Ｐ  股下部の前後方向中央線
Ｑ  股下部の幅方向中央線
【図１】
0005525255.tif 000002
【図２】
0005525255.tif 000003
【図３】
0005525255.tif 000004
【図４】
0005525255.tif 000005
【図５】
0005525255.tif 000006
【図６】
0005525255.tif 000007
【図７】
0005525255.tif 000008
【図８】
0005525255.tif 000009
【図９】
0005525255.tif 000010